(57)【要約】【課題】食品衛生上の問題や内容物に対する悪影響がなく、乾燥又は調湿の効果が持続的で良好であり、パッキン機能をもち、積み重ねが可能な乾燥又は調湿機能を有する蓋材を提供する。【解決手段】乾燥又は調湿を必要とする内容物を収納する容器に装着する、天板110 と、容器との係合部121 を内周面にもつ周壁120 とからなる蓋材100 であって、天板の中央側にスタック兼収容突出部111 を突設し、このスタック兼収容突出部の内側に、乾燥剤又は調湿剤含有樹脂成形体200 を熱融着し、かつ、パッキン機能をもつインサートフィルム300 を、乾燥剤又は調湿剤含有樹脂成形体の下面とスタック兼収容突出部の外周外側の天板外周縁部の内面とに熱融着して、乾燥剤又は調湿剤含有樹脂成形体を封入する。【選択図】図１
2005343502.tif 000002
【特許請求の範囲】
【請求項１】
乾燥又は調湿を必要とする内容物を収納する容器に装着する、天板と、容器との係合部を内周面にもつ周壁とからなる蓋材であって、天板の中央側にスタック兼収容突出部を突設し、このスタック兼収容突出部の内側に、乾燥剤又は調湿剤含有樹脂成形体を熱融着し、かつ、パッキン機能をもつインサートフィルムを、乾燥剤又は調湿剤含有樹脂成形体の下面とスタック兼収容突出部の外周外側の天板外周縁部の内面とに熱融着して、乾燥剤又は調湿剤含有樹脂成形体を封入したことを特徴とする乾燥又は調湿機能を有する蓋材。
【請求項２】
雌型のスタック兼収容突出部形成キャビティの中心にゲート位置がある射出成形用金型であって、前もって、雌型のスタック兼収容突出部形成キャビティ内に、乾燥剤又は調湿剤含有樹脂成形体をエアー孔により吸引して仮固定し、雄型の天板形成キャビティ面に、インサートフィルムをエアー孔により吸引して仮固定し、型締めして、ゲートより溶融樹脂をキャビティ内へ射出し、溶融樹脂圧力により乾燥剤又は調湿剤含有樹脂成形体を雄型側へ移動させて蓋本体を成形すると同時に、蓋本体のスタック兼収容突出部内に乾燥剤又は調湿剤含有樹脂成形体を熱融着し、かつ、乾燥剤又は調湿剤含有樹脂成形体の下面と蓋本体のスタック兼収容突出部の外周外側の天板外周縁部の内面にインサートフィルムを熱融着して、乾燥剤又は調湿剤含有樹脂成形体を封入したことを特徴とする乾燥又は調湿機能を有する蓋材の製造方法。
【発明の詳細な説明】
【技術分野】
【０００１】
本発明は、乾燥が必要な例えば乾燥食品などの内容物、又は調湿が必要な例えば錠剤などの内容物を収納する容器に装着する乾燥又は調湿機能を有する蓋材に関するものである。
【背景技術】
【０００２】
従来、容器に収納する内容物に対して乾燥機能を有する蓋材としては、シート状の乾燥剤含有樹脂成形体を蓋材の天板内面下に、パッキンの代わりに挿着したものがあった。
【発明の開示】
【発明が解決しようとする課題】
【０００３】
しかしながら、上述の従来の乾燥機能を有する蓋材は、容器に収納する内容物が、天板内面下に挿着されている乾燥剤含有樹脂成形体に直接に接触してしまうため、乾燥剤含有樹脂成形体の乾燥剤が内容物へ移行することがあり、食品衛生上の問題、内容物の変質の可能性などの問題があり、また、内容物の乾燥剤含有樹脂成形体への付着の問題や、挿着されている乾燥剤含有樹脂成形体の外周縁部が、蓋材の内周面と容器の周壁外周面間にあるため、外気の水分を吸収することがあり、この水分が乾燥剤含有樹脂成形体を内側へ伝わって容器内へ侵入する問題などがあった。
【０００４】
本発明は、上述の従来の乾燥機能を有する蓋材の問題点を解決したものであり、食品衛生上の問題や内容物に対する悪影響がなく、乾燥又は調湿の効果が持続性で良好であり、パッキン機能をもち、積み重ねが可能な乾燥又は調湿機能を有する蓋材を提供するものである。
【課題を解決するための手段】
【０００５】
すなわち、本発明の第１の発明は、乾燥又は調湿を必要とする内容物を収納する容器に装着する、天板と、容器との係合部を内周面にもつ周壁とからなる蓋材であって、天板の中央側にスタック兼収容突出部を突設し、このスタック兼収容突出部の内側に、乾燥剤又は調湿剤含有樹脂成形体を熱融着し、かつ、パッキン機能をもつインサートフィルムを、乾燥剤又は調湿剤含有樹脂成形体の下面とスタック兼収容突出部の外周外側の天板外周縁部の内面とに熱融着して、乾燥剤又は調湿剤含有樹脂成形体を封入したことを特徴とする乾燥又は調湿機能を有する蓋材である。
【０００６】
そして、本発明の第２の発明は、雌型のスタック兼収容突出部形成キャビティの中心にゲート位置がある射出成形用金型であって、前もって、雌型のスタック兼収容突出部形成キャビティ内に、乾燥剤又は調湿剤含有樹脂成形体をエアー孔により吸引して仮固定し、雄型の天板形成キャビティ面に、インサートフィルムをエアー孔により吸引して仮固定し、型締めして、ゲートより溶融樹脂をキャビティ内へ射出し、溶融樹脂圧力により乾燥剤又は調湿剤含有樹脂成形体を雄型側へ移動させて蓋本体を成形すると同時に、蓋本体のスタック兼収容突出部内に乾燥剤又は調湿剤含有樹脂成形体を熱融着し、かつ、乾燥剤又は調湿剤含有樹脂成形体の下面と蓋本体のスタック兼収容突出部の外周外側の天板外周縁部の内面にインサートフィルムを熱融着して、乾燥剤又は調湿剤含有樹脂成形体を封入したことを特徴とする乾燥又は調湿機能を有する蓋材の製造方法である。
【発明の効果】
【０００７】
本発明の乾燥又は調湿機能を有する蓋材は、天板に設けられたスタック兼収容突出部の内側に、乾燥剤又は調湿剤含有樹脂成形体がインサートフィルムで封入されて収容されて
おり、乾燥剤又は調湿剤含有樹脂成形体が、容器内に収納されている内容物に直接接触することがないため、内容物の食品衛生上の問題や内容物の変質などの問題を発生することがない。
【０００８】
また、本発明の乾燥又は調湿機能を有する蓋材は、天板に設けられたスタック兼収容突出部の内側に収容されている乾燥剤又は調湿剤含有樹脂成形体が、インサートフィルムで封入されているために外気の影響を受けることなく、容器内を乾燥又は調湿するため、乾燥又は調湿の効果が持続性で良好である。
【０００９】
また、本発明の本発明の乾燥又は調湿機能を有する蓋材の天板に設けられスタック兼収容突出部の内側に、乾燥剤又は調湿剤含有樹脂成形体を封止するインサートフィルムは、容器の口頸部に挿着されたときに、パッキン機能があるため、容器の密封性が良好となる。
【００１０】
また、本発明の乾燥又は調湿機能を有する蓋材は、天板にスタック兼収容突出部が設けられているため、蓋と蓋、容器と容器を積み重ねることができる。
【発明を実施するための最良の形態】
【００１１】
次に、本発明の乾燥又は調湿機能を有する蓋材の実施形態について、図を用いて詳細に説明する。
【００１２】
図１は、実施形態１の乾燥又は調湿機能を有する蓋材の断面図であり、図２は、その射出成形用金型で、（ａ）は、型開きした雌型と雄型に、乾燥剤又は調湿剤含有樹脂成形体及びインサートフィルムを吸引して挿着した状態を示し、（ｂ）は、型締めして図１に示す乾燥又は調湿機能を有する蓋材を成形した状態を示す。図３は、実施形態２の打栓タイプの乾燥又は調湿機能を有する蓋材の断面図であり、図４は、実施形態３のヒンジ蓋タイプの乾燥又は調湿機能を有する蓋材の断面図である。
【００１３】
本発明の乾燥又は調湿機能を有する蓋材は、プラスチックボトルやガラス瓶など容器の口頸部に螺合や咬合により装着して、容器内を乾燥又は調湿環境にし、容器に収納されている内容物を乾燥又は調湿するものである。例えば、乾燥食品、医薬錠剤、固形健康食品、検出センサーなどの乾燥環境を必要とする内容物、または、医薬カプセル錠剤などの調湿環境を必要とする内容物を収納する容器に使用されるものである。
【００１４】
実施形態１の乾燥又は調湿機能を有する蓋材（１００）の構造は、図１に示すように、天板（１１０）と周壁（１２０）とからなるキャップ形状であり、天板の中央側にスタック兼収容突出部（１１１）を突設し、このスタック兼収容突出部の内側に、ほぼスタック兼収容突出部の内側形状の乾燥剤又は調湿剤含有樹脂成形体（２００）を熱融着して収容し、パッキン機能をもつインサートフィルム（３００）を、乾燥剤又は調湿剤含有樹脂成形体の下面とスタック兼収容突出部の外周外側の天板外周縁部の内面とに熱融着して、乾燥剤又は調湿剤含有樹脂成形体を封入するものである。また、周壁の内周面には、容器の口頸部の外周面に設けられた雄ネジと螺合する雌ネジ（１２１）を設けるものである。
【００１５】
乾燥剤又は調湿剤含有樹脂成形体は、酸化カルシウムなどの乾燥剤又は焼みょうばんなどの調湿剤を含有する熱可塑性樹脂を射出成形法により作製するものである。この熱可塑性樹脂は、蓋材の樹脂と熱融着するものであり、蓋材がポリプロピレン（エチレンとのブロック又はランダム共重合体）の場合には、低密度ポリエチレン、直鎖状低密度ポリエチレン、高密度ポリエチレン、ポリプロピレンなどであり、蓋材が高密度ポリエチレンの場合には、低密度ポリエチレン、直鎖状低密度ポリエチレン、高密度ポリエチレン、ポリプロピレン（エチレンとのブロック又はランダム共重合体）などである。また、インサート
フィルムとしては、蓋材がポリプロピレン（エチレンとのブロック又はランダム共重合体）の場合には、乾燥剤又は調湿剤含有樹脂成形体の容器内部への乾燥又は調湿の効果を高めるために、水分透過性の高い２０〜８０μｍ厚の低密度ポリエチレン又は直鎖状低密度ポリエチレンが好ましく、また、薄めの１５〜３５μｍ厚のポリプロピレンを使用するものである。蓋材が高密度ポリエチレンの場合には、２０〜８０μｍ厚の低密度ポリエチレン又は直鎖状低密度ポリエチレン、１５〜３５μｍ厚のポリプロピレン（エチレンとのブロック又はランダム共重合体）を使用するものである。なお、必要に応じては、容器の密封性を向上するために、容器の口頸部の口部上面にコンタクト封止リングを設けても、口頸部の先端をＲ形状にしてもよい。
【００１６】
上述の乾燥又は調湿機能を有する蓋材の製造方法は、図２（ａ）に示すように、雌型（４１０）のスタック兼収容突出部形成キャビティ（４１２）の中心にゲート（４１１）位置がある射出成形用金型（４００）を用いるものであり、まず、射出成形機上の射出成形用金型を型開きし、乾燥剤又は調湿剤含有樹脂成形体（２００）を、雌型のスタック兼収容突出部形成キャビティ内に、所定位置に設けられているエアー孔（４１３）からエアーを吸引して仮固定し、また、インサートフィルム（３００）を、雄型（４２０）の天板形成キャビティ面（４２１）に、所定位置に設けられているエアー孔（４２２）からエアーを吸引して仮固定し、次に、型締めして、図２（ｂ）に示すように、ゲート（４１１）より溶融樹脂をキャビティ（成形品が成形される雄型と雌型の間の空間）内へ射出し、溶融樹脂圧力により乾燥剤又は調湿剤含有樹脂成形体（２００）を雄型側へ移動させて蓋本体を成形すると同時に、蓋材本体のスタック兼収容突出部内に乾燥剤又は調湿剤含有樹脂成形体を熱融着し、また、乾燥剤又は調湿剤含有樹脂成形体の下面と蓋材本体のスタック兼収容突出部の外周外側の天板外周縁部の内面にインサートフィルム（３００）を熱融着して、乾燥剤又は調湿剤含有樹脂成形体を封入して乾燥又は調湿機能を有する蓋材（１００）を作製するものである。なお、乾燥剤又は調湿剤含有樹脂成形体及びインサートフィルムの金型内への挿入は、インサーターによるものである。
【００１７】
実施形態２の打栓タイプの乾燥又は調湿機能を有する蓋材（１００）の構造は、図３に示すように、周壁（１２０）の下端内周面に容器との咬合リング（１２２）を設けた以外は、実施形態１の乾燥又は調湿機能を有する蓋材と同様である。
【００１８】
実施形態３のヒンジ蓋タイプの乾燥又は調湿機能を有する蓋材（５００）の構造は、図４に示すように、本体部（５１０）の周壁（５１１）の上端縁部に、ヒンジ部（５３０）を介して蓋部（５２０）が開閉可能に接続するものであり、本体部の下端内周面に容器との咬合リング（５１２）を設け、蓋部の天板（５２１）の中央側にスタック兼収容突出部（５２２）を突設し、ヒンジ部の対向側の蓋部の周壁（５２３）外周面の下端に開閉用つまみ（５２４）を設けるものであり、これ以外は、実施形態１の乾燥又は調湿機能を有する蓋材と同様である。
【図面の簡単な説明】
【００１９】
【図１】本発明の一実施形態の乾燥又は調湿機能を有する蓋材の断面図である。
【図２】本発明の乾燥又は調湿機能を有する蓋材の射出成形用金型の構造を示す説明図であり、（ａ）は、型開きした雌型と雄型に、それぞれ乾燥剤又は調湿剤含有樹脂成形体及びインサートフィルムを吸引して挿着した状態を示し、（ｂ）は、型締めして乾燥又は調湿機能を有する蓋材を成形した状態を示す。
【図３】本発明の他の一実施形態の乾燥又は調湿機能を有する蓋材の断面図である。
【図４】本発明の他の一実施形態の乾燥又は調湿機能を有する蓋材の断面図である。
【符号の説明】
【００２０】
１００，５００……乾燥又は調湿機能を有する蓋材
１１０，５２１……天板
１１１，５２２……スタック兼収容突出部
１２０，５１１，５２３……周壁
１２１……雌ネジ又は係合部
１２２……咬合リング
２００……乾燥剤又は調湿剤含有樹脂成形体
３００……インサートフィルム
４００……射出成形用金型
４１０……雌型
４１１……ゲート
４１２……スタック兼収容突出部形成キャビティ
４１３，４２２……エアー孔
４２１……天板形成キャビティ面
４２３……ストリッパープレート
４２０……雄型
５１０……本体部
５１２……咬合リング
５２０……蓋部
５２４……開閉用つまみ
５３０……ヒンジ部
【図１】
2005343502.tif 000003
【図２】
2005343502.tif 000004
【図３】
2005343502.tif 000005
【図４】
2005343502.tif 000006